【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
少なくとも１のアニオン性の洗浄性界面活性剤成分と、式
【化１】
2009538941.tif 000001
のアミドアルキルアミン４級アンモニウム化合物を含んでいる少なくとも１のカチオン性柔軟剤とを含んでいる、改良された柔軟化および帯電防止特性を有するツーインワン（２−ｉｎ−１）洗濯洗剤組成物であって、
Ｒが、６〜２６炭素原子を有する、飽和または不飽和の、分枝状または直鎖のアルキル基であり、当該Ｒ基が、単一の鎖長８０％以下から構成され、かつ、２０〜１００のＩＶを有し、
Ｒ２およびＲ３が、それぞれアルキル、アルコキシアルキル、ヒドロキシアルキル、ポリアルコキシアルキル、ヒドロキシアルキルスルホネート、アルキルスルホネートまたはアルキルアリールスルホネートであり、
Ｒ４が、飽和または不飽和の炭化水素、たとえばアルキル、アリール、アラルキル、アルカリールであり、
Ｒ２、Ｒ３、およびＲ４のうちの任意の２が、該２が結合されている窒素原子とともに任意的にヘテロ環式環を形成してもよく、
ｙが０〜１２の整数であり、
Ｘ−がアニオンであり、および
当該カチオン性柔軟剤のＩＶが２０〜１００である、組成物。
【請求項２】
Ｒが、牛脂脂肪酸に由来し、Ｒ２およびＲ３が、Ｃ１〜Ｃ８アルキル、Ｃ１〜Ｃ８アルコキシアルキル、Ｃ１〜Ｃ８ヒドロキシアルキル、２〜３０の範囲にある重合度を有するＣ１〜Ｃ８ポリアルコキシからそれぞれ独立に選択され、Ｒ４が、飽和または不飽和のアルキル、アリール、アラルキル、アルカリール基であり、Ｒ２、Ｒ３、およびＲ４のうちの任意の２が、該２が結合されている窒素原子とともに任意的にヘテロ環式環を形成してもよく、Ｘ−が、ハロゲンイオン、リン、イオウもしくは塩素のオキソイオン、相溶性の有機アニオン性分子、またはこれらの混合等である、請求項１に従う組成物。
【請求項３】
Ｒ２およびＲ３が、それぞれ独立にＣ１〜Ｃ４アルキル、Ｃ１〜Ｃ４アルコキシアルキル、Ｃ１〜Ｃ４ヒドロキシアルキルおよび２〜３０の範囲にある重合度を有するＣ１〜Ｃ４ポリアルコキシから選択され、Ｒ４が飽和または不飽和のＣ１〜Ｃ４アルキル基であり、およびＲが４０〜６５のＩＶを有する、請求項２に従う組成物。
【請求項４】
当該アミドアルキルアミン４級アンモニウム化合物が式
【化２】
2009538941.tif 000002
のうちの少なくとも１の化合物またはこれらの混合物を含み、
Ｒが、牛脂脂肪酸に由来し、
Ｒ２およびＲ３が、それぞれ独立にＣ１〜Ｃ８アルキル、Ｃ１〜Ｃ８アルコキシアルキル、Ｃ１〜Ｃ８ヒドロキシアルキルおよび２〜３０の範囲にある重合度を有するＣ１〜Ｃ８ポリアルコキシから選択され、
Ｒ４が、飽和または不飽和のアルキル、アリール、アラルキル、アルカリールであり、Ｒ２、Ｒ３、およびＲ４のうちの任意の２が、該２が結合されている窒素原子とともに任意的にヘテロ環式環を形成してもよく、
ｎが１〜１２の整数であり、および
Ｘ−が、当該４級アンモニウム化合物に水溶性を付与するアニオンである、
請求項１に従う組成物。
【請求項５】
Ｘ−が、ハロゲンイオン、リン、イオウまたは塩素のオキソイオン、塩素、臭素、ヨウ素の有機アニオン、リンの酸化物、ハイポクロライド、ホスフェート、ホスフェート、イオウの酸化物、サルフェート、サルファイト、スルホネート、ホスフェート、アセテート、カルボキシレート、クロレート、パークロレート、サリチレート、フタレート、ラクテート、マレエート、グリシネート、サイトレート、クエン酸、乳酸、サリチル酸、フタル酸、安息香酸、ナフトエ酸、アミノ酸、およびこれらの混合物から選択されたものである、請求項１に従う組成物。
【請求項６】
Ｘ−が、ハロゲンイオン、リン、イオウまたは塩素のオキソイオン、塩素、臭素、ヨウ素の有機アニオン、リンの酸化物、ハイポクロライド、ホスフェート、ホスフェート、イオウの酸化物、サルフェート、サルファイト、スルホネート、ホスフェート、アセテート、カルボキシレート、クロレート、パークロレート、サリチレート、フタレート、ラクテート、マレエート、グリシネート、サイトレート、クエン酸、乳酸、サリチル酸、フタル酸、安息香酸、ナフトエ酸、アミノ酸、およびこれらの混合物から選択されたものである、請求項５に従う組成物。
【請求項７】
当該アミドアルキルアミン４級アンモニウム化合物が、牛脂アミドプロピルトリメチルアンモニウム４級塩、アミドプロピルモルホリン４級塩、イソステアリルアミドエチルモルホリン乳酸塩、ジメチルアルキルグリセロールアンモニウム塩化物、アミドプロピルモルホリン４級塩、またはこれらの混合物を含んでいる、請求項１に従う組成物。
【請求項８】
当該アミドアルキルアミン４級アンモニウム化合物が、以下の構造
【化３】
2009538941.tif 000003
を有し、Ｒが、約６〜約２６炭素原子を有する、飽和または不飽和の、分枝状または直鎖のアルキル基から選択され、当該Ｒ基が、単一の鎖長８０％以下から構成され、かつ、２０〜１００のＩＶを有する、請求項１に従う組成物。
【請求項９】
当該アミドアルキルアミン４級アンモニウム化合物約１重量％〜約１０重量％を含んでいる、請求項１に従う組成物。
【請求項１０】
アニオン性界面活性剤成分とアミドアルキルアミン４級アンモニウム化合物との重量比が、約１：１〜約２０：１である、請求項１に従う組成物。
【請求項１１】
当該洗浄性界面活性剤が、アニオン性界面活性剤である、請求項１に従う組成物。
【請求項１２】
当該アニオン性界面活性剤が、約８〜約２４炭素原子を有するアルキルサルフェート、パラフィンスルホネートの水溶性塩；約１２〜約２４炭素原子を有するアルキルグリセリルエーテルスルホネート、αスルホン化脂肪酸のエステル、オレフィンスルホネート；βアルキルオキシアルカンスルホネートであって、該アルキル基中に約１〜３炭素原子および該アルカン部分中に約８〜２０炭素原子を有するもの、非エトキシル化Ｃ１２〜１５の１級および２級アルキルサルフェート、アルキルベンゼンスルホネート、およびこれらの混合物を含んでいる、請求項１１に従う組成物。
【請求項１３】
当該アニオン性界面活性剤が、水溶性のアルキルサルフェートおよび式
【化４】
2009538941.tif 000004
のアルキルポリエトキシレートサルフェートであり、Ｒが約１０〜約２２炭素原子を有する飽和または不飽和のアルキル鎖であり、Ｍがカチオンであり、およびｘが０〜約１５である、請求項１２に従う組成物。
【請求項１４】
当該洗濯洗剤組成物が、当該洗浄性界面活性剤約５〜４０重量％を含んでいる、請求項１３に従う組成物。
【請求項１５】
少なくとも１のアニオン性の洗浄性界面活性剤成分および少なくとも１の柔軟剤化合物を含んでいる、改良された柔軟化および帯電防止特性を有するツーインワン洗濯洗剤組成物であって、当該柔軟剤が式
【化５】
2009538941.tif 000005
の少なくとも１の化合物を含んでおり、
Ｒが、約６〜約２６炭素原子を有する、飽和または不飽和の、分枝状または直鎖のアルキル基から選択され、および当該Ｒが、単一の鎖長８０％以下から構成され、かつ、２０〜１００のＩＶを有する、組成物。
【請求項１６】
当該洗浄性界面活性剤約５〜４０重量％および当該柔軟剤１重量％〜約１０重量％を含んでいる、請求項１５に従う組成物。
【請求項１７】
当該洗浄性界面活性剤と当該柔軟剤との重量比が、約１：１〜約２０：１である、請求項１６に従う組成物。
【請求項１８】
当該Ｒ基のＩＶが、４５〜６５である、請求項８に従う組成物。